(57)【要約】【課題】アームピースに対する固定（保持）性能を向上する。【解決手段】アームピース２２の被固定部３０に被係合凹部３２が形成されており、被係合凹部３２は、アームピース２２の長手方向に対して直交する方向に沿って配置された第１直交面３４及び第２直交面３６を有している。また、被係合凹部３２内にリテーナ２０の係合片５０が配置されており、係合片５０は、第１直交面３４及び第２直交面３６と対向される第１対向面５２及び第２対向面５４を有している。このため、カシメ部４０にスプリングバックが生じる際には、係合片５０が第１直交面３４及び第２直交面３６に沿って変位する。これにより、第１対向面５２（第２対向面５４）と第１直交面３４（第２直交面３６）との距離の変化が抑制される。その結果、アームピース２２がリテーナ２０に対して仮に相対移動しても、リテーナ２０に対するアームピース２２の移動量が大きくなることを抑制できる。【選択図】図１
2014201161.tif 000002
【特許請求の範囲】
【請求項１】
回転可能に設けられたアームヘッドに連結され、前記アームヘッドから延設されるリテーナと、
前記リテーナの先端部に固定される被固定部を有し、前記被固定部から前記リテーナの延設方向一方側へ延びるアームピースと、
前記被固定部に凹状又は凸状に形成され、前記アームピースの長手方向に対して直交する方向に沿って配置された直交面を有する被係合部と、
前記リテーナの先端部において前記リテーナの長手方向を軸方向としかつ該長手方向から見て一部開放された筒状に形成され、内側に配置された前記被固定部をカシメによって固定すると共に、前記直交面と対向する対向面を有する係合部を含んで構成された固定部と、
を備えたワイパアームのアームピース固定構造。
【請求項２】
前記アームピースは長尺板状に形成されると共に、前記アームピースの裏面に前記被係合部が形成され、
前記直交面が前記対向面に対して前記アームピースの基端側に配置された請求項１に記載のワイパアームのアームピース固定構造。
【請求項３】
前記固定部には、前記リテーナの長手方向に対して直交する方向に延びるスリットが形成され、
前記スリットが前記係合部に隣接して配置された請求項１又は請求項２に記載のワイパアームのアームピース固定構造。
【発明の詳細な説明】
【技術分野】
【０００１】
本発明は、ワイパアームのアームピース固定構造に関する。
【背景技術】
【０００２】
下記特許文献１に記載されたワイパアームでは、リテーナの先端部（ピース固定部）がアームピースに巻き付くようにしてカシメられて、アームピースがリテーナに固定されている。具体的には、リテーナのピース固定部が、リテーナの長手方向から見て一部開放された略矩形筒状に形成されており、ピース固定部の開放端には、係合孔を構成する半円状の切欠き部がそれぞれ形成されている。また、アームピースには、一対の円柱状のダボ（突起）が形成されており、ダボ（突起）が係合孔内に配置されている。これにより、例えば外力によってアームピースの長手方向にアームピースがリテーナに対して仮に相対移動した場合には、ダボが係合孔の内周面に当接される。その結果、アームピースのリテーナに対する移動が制限される。
【先行技術文献】
【特許文献】
【０００３】
【特許文献１】特開２０１１−１０５０６７号公報
【発明の概要】
【発明が解決しようとする課題】
【０００４】
しかしながら、上記ワイパアームでは、リテーナのピース固定部をアームピースにカシメた際にピース固定部にスプリングバックが生じると、ピース固定部の開放端が互いに開く方向（リテーナの幅方向外側）へ変位する。このため、係合孔を構成する切欠き部が互いに離間する方向へ変位するため、アームピースの長手方向においてダボ（突起）と係合孔の内周面との間の距離が大きくなる。これにより、例えば外力によってアームピースの長手方向にアームピースがリテーナに対して仮に相対移動した場合には、アームピースの移動量が大きくなる。その結果、アームピースに対する固定（保持）性能が低下してしまう。
【０００５】
本発明は、上記事実を考慮し、アームピースに対する固定（保持）性能を向上できるアームピース固定構造を提供することを目的とする。
【課題を解決するための手段】
【０００６】
請求項１に記載のワイパアームのアームピース固定構造は、回転可能に設けられたアームヘッドに連結され、前記アームヘッドから延設されるリテーナと、前記リテーナの先端部に固定される被固定部を有し、前記被固定部から前記リテーナの延設方向一方側へ延びるアームピースと、前記被固定部に凹状又は凸状に形成され、前記アームピースの長手方向に対して直交する方向に沿って配置された直交面を有する被係合部と、前記リテーナの先端部において前記リテーナの長手方向を軸方向としかつ該長手方向から見て一部開放された筒状に形成され、内側に配置された前記被固定部をカシメによって固定すると共に、前記直交面と対向する対向面を有する係合部を含んで構成された固定部と、を備えている。
【０００７】
請求項１に記載のワイパアームのアームピース固定構造によれば、回転可能に設けられたアームヘッドにリテーナが連結されており、リテーナはアームヘッドから延設されている。また、リテーナの先端部には固定部が形成されており、固定部は、リテーナの長手方向を軸方向としかつ該長手方向から見て一部開放された筒状に形成されている。そして、固定部の内側に配置されたアームピースの被固定部がカシメによって固定部に固定されている。すなわち、リテーナの固定部が、アームピースの被固定部の周方向に巻き付くようにしてカシメられている。これにより、リテーナの固定部にスプリングバックが生じる場合には、固定部の開放端が、リテーナ（アームピース）の周方向において互いに離間する方向へ変位する。
【０００８】
ここで、アームピースの被固定部には、凹状又は凸状の被係合部が形成されている。また、被係合部は直交面を有しており、直交面は、アームピースの長手方向に対して直交する方向に沿って配置されている。すなわち、直交面がアームピースの周方向に延びるように形成されている。さらに、リテーナの固定部は係合部を含んで構成されており、係合部は、直交面と対向される対向面を有している。
【０００９】
このため、固定部にスプリングバックが生じても、アームピースの長手方向における係合部の対向面と直交面との間の距離の変化が抑制される。その結果、例えば外力によってアームピースの長手方向にアームピースがリテーナに対して仮に相対移動しても、リテーナに対するアームピースの移動量が大きくなることを抑制できる。したがって、アームピースに対する固定（保持）性能を向上できる。
【００１０】
請求項２に記載のワイパアームのアームピース固定構造は、請求項１に記載のワイパアームのアームピース固定構造において、前記アームピースは長尺板状に形成されると共に、前記アームピースの裏面に前記被係合部が形成され、前記直交面が前記対向面に対して前記アームピースの基端側に配置されている。
【００１１】
請求項２に記載のワイパアームのアームピース固定構造によれば、アームピースが長尺板状に形成されており、アームピースの裏面（払拭面側）に被係合部が形成されている。このため、リテーナの係合部及びアームピースの被係合部が視認され難い位置に配置される。これにより、ワイパアームの意匠性を損なうことなく係合部及び被係合部を形成できる。
【００１２】
また、直交面が対向面に対してアームピースの基端側に配置されている。このため、例えば外力によってアームピースの先端側へアームピースがリテーナに対して仮に相対移動すると、アームピースの直交面がリテーナの係合部の対向面に係合（当接）される。これにより、アームピースのリテーナからの抜けを効果的に防止できる。
【００１３】
請求項３に記載のワイパアームのアームピース固定構造は、請求項１又は請求項２に記載のワイパアームのアームピース固定構造において、前記固定部には、前記リテーナの長手方向に対して直交する方向に延びるスリットが形成され、前記スリットが前記係合部に隣接して配置されている。
【００１４】
請求項３に記載のワイパアームのアームピース固定構造によれば、リテーナの先端部にスリットが形成されており、スリットは、係合部に隣接して配置されると共に、リテーナの長手方向に対して直交する方向に延びている。このため、例えば、被係合部を凹状に形成した場合にリテーナの固定部をアームピースの被固定部の外周部にカシメる際に、係合部をカシメ冶具等によって被係合部内へ良好に押し込むことができる。これにより、リテーナの固定部におけるスプリングバックの発生を抑制しつつ、係合部の成形性を向上できる。
【図面の簡単な説明】
【００１５】
【図１】本実施の形態に係るワイパアームのアームピース固定構造が適用されたワイパアームの要部を示すリテーナの裏面（払拭面）側から見た裏面図である。
【図２】図１に示されるリテーナのカシメ部がアームピースの被固定部にカシメられた状態を示す断面図（図１の２−２線断面図）である。
【図３】（Ａ）は、図１に示されるアームピースを示すアームピースの表面側から見た平面図であり、（Ｂ）は、（Ａ）のアームピースを示す側面図である。
【図４】図１に示されるワイパアームの全体を示す側面図である。
【発明を実施するための形態】
【００１６】
以下図面を用いて本発明の実施の形態に係るワイパアームのアームピース固定構造Ｓが適用されたワイパアーム１２について説明して、次いでワイパアームのアームピース固定構造Ｓについて説明する。図４に示されるように、ワイパアーム１２は、車両（自動車）のウィンドシールドガラス（図示省略）を払拭するワイパ装置１０の一部を構成している。また、ワイパアーム１２は、アームヘッド１４と、リテーナ２０と、アームピース２２と、を含んで構成されている。
【００１７】
アームヘッド１４は、略矩形柱状に形成されており、例えばアルミダイキャスト製とされている。このアームヘッド１４の基端部（図４の矢印Ａ方向側の端部）には、締結部１６が形成されており、締結部１６には締結孔（図示省略）が形成されている。そして、車両のフレーム等に回転自在に連結されたピボット軸１８の先端部が締結部１６の締結孔内に挿入されており、ピボット軸１８の先端部にナット（図示省略）が螺合されて、締結部１６がピボット軸１８に締結固定されている。これにより、アームヘッド１４がピボット軸１８と一体に回転されるようになっている。そして、アームヘッド１４は、側面視で締結部１６からワイパ装置１０の長手方向一方側（図４の矢印Ｂ方向側）へ向かうに従いピボット軸１８の軸方向一方側（図４の矢印Ｃ方向側）へ傾斜されている。
【００１８】
リテーナ２０は、略長尺状に形成されると共に、その長手方向から見た断面視で、車両のウィンドシールドガラスの払拭面側（ピボット軸１８の軸方向他方側（図４の矢印Ｄ方向側））へ開放された略Ｕ字形状を成している。そして、リテーナ２０の基端部（図４の矢印Ａ方向側の端部）が、アームヘッド１４の先端部に回転可能に支持されて、リテーナ２０がアームヘッド１４の先端部から延びている。また、リテーナ２０（又はアームピース２２）とアームヘッド１４との間には、引張コイルスプリング等の付勢部材（図示省略）が架け渡されており、付勢部材によってリテーナ２０がウィンドシールドガラスの払拭面側へ付勢されている。
【００１９】
アームピース２２は、金属により製作されて、略長尺板状に形成されている。そして、アームピース２２の基端部（図４の矢印Ａ方向側の端部）がリテーナ２０の先端部にカシメ固定されて、アームピース２２は、その基端部からワイパ装置１０の長手方向一方側へ延びている。また、アームピース２２におけるリテーナ２０に固定される部分が被固定部３０（図３（Ａ）及び（Ｂ）参照）とされている。さらに、アームピース２２は、平面視で略クランク状に形成されると共に（図３（Ａ）参照）、アームピース２２の長手方向中間部において、ウィンドシールドガラス側へ若干斜めに屈曲されている（図３（Ｂ）参照）。さらに、アームピース２２の先端部は略Ｕ字形状に屈曲されており、該先端部には、ワイパ装置１０の一部を構成するワイパブレード２４（図４）が連結されるようになっている。
【００２０】
次に、ワイパアームのアームピース固定構造Ｓについて説明する。
【００２１】
図３（Ａ）及び（Ｂ）に示されるように、アームピース２２の被固定部３０には、アームピース２２の裏面２２Ａ（図３（Ｂ）の矢印Ｄ方向側の面［払拭面側の面］）において、「被係合部」としての被係合凹部３２が形成されている。この被係合凹部３２は、アームピース２２の裏面２２Ａ側へ開放されると共に、アームピース２２の幅方向（図３（Ａ）の矢印Ｅ方向及び矢印Ｆ方向）に貫通されている。これにより、被係合凹部３２における一対の内側面が、アームピース２２の長手方向（図３（Ａ）の矢印Ａ及びＢ方向）に並んで配置されており、この内側面が、「直交面」としての第１直交面３４及び第２直交面３６とされている。そして、第１直交面３４及び第２直交面３６は、アームピース２２の長手方向に対して直交する方向に沿って配置され互いに対向した平面であると共に、アームピース２２の周方向（詳しくは、アームピース２２の幅方向）に沿うように延びている。
【００２２】
また、アームピース２２の被固定部３０には、アームピース２２の幅方向両側面において、一対の切欠き凹部３８が形成されている。この切欠き凹部３８は、アームピース２２の幅方向外側へ開放されると共に、被係合凹部３２に対応して配置されている。そして、アームピース２２の長手方向において、被係合凹部３２が切欠き凹部３８内に収まるように配置されている。これにより、例えば、被係合凹部３２をプレス加工等によって成形する際に被係合凹部３２がアームピース２２の幅方向外側へ塑性変形で膨らんでも、当該膨らんだ部分が切欠き凹部３８内に配置されるようになっている。
【００２３】
一方、図１及び図２に示されるように、リテーナ２０の先端部には、アームピース２２の被固定部３０をカシメ固定するための「固定部」としてのカシメ部４０が形成されている。カシメ部４０は、被固定部３０の周方向において、被固定部３０の外周部に巻き付くようにしてカシメられており、これにより、アームピース２２（被固定部３０）がリテーナ２０（カシメ部４０）に固定されている。すなわち、カシメ部４０は、リテーナ２０の長手方向から見て、リテーナ２０の裏面側（図２の矢印Ｄ方向側）へ一部開放された略矩形筒状に形成されて（図２参照）、カシメ部４０の内周面がアームピース２２の被固定部３０の外周面に密着接触されている。具体的には、カシメ部４０は、アームピース２２の表面と対向して配置される表側壁４２と、表側壁４２の幅方向両端部からアームピース２２の裏面２２Ａ側へ延びる一対の側壁４４と、各側壁４４の一端部から互いに接近する方向（アームピース２２の幅方向内側）へ延びる一対の裏側壁４６と、を含んで構成されている。そして、裏側壁４６の先端（開放端）がリテーナ２０の幅方向中央の位置で突き合わされるように配置されている。
【００２４】
また、図１に示されるように、一対の裏側壁４６には、それぞれ一対のスリット４８が形成されており、スリット４８は、カシメ部４０の開放端からリテーナ２０の長手方向に対して直交する方向に沿って側壁４４の手前まで延びている。また、一対のスリット４８は、リテーナ２０の裏側壁４６側から見て、第１直交面３４及び第２直交面３６とラップするように配置されている。
【００２５】
そして、裏側壁４６における一対のスリット４８間の部分が「係合部」としての係合片５０とされている。すなわち、カシメ部４０は一対の係合片５０を含んで構成されており、係合片５０がカシメ部４０の開放端部に形成されている。この係合片５０は、係合片５０の根元から係合片５０の先端へ向かうに従い被係合凹部３２側へ傾斜されて、被係合凹部３２内に嵌め込まれている（図２参照）。つまり、カシメ部４０を被固定部３０の外周部に巻き付けるようにしてカシメる際に、カシメ冶具等によって係合片５０が被係合凹部３２内へ押し込まれて被係合凹部３２内に嵌め込まれている。
【００２６】
そして、第１直交面３４と対向する係合片５０の端面が、「対向面」としての第１対向面５２とされると共に、第２直交面３６と対向する係合片５０の端面が、対向面としての第２対向面５４とされている。また、この第１直交面３４と第１対向面５２との間及び第２直交面３６と第２対向面５４との間には、僅かな隙間が形成されている。これにより、仮にアームピース２２の長手方向にアームピース２２がリテーナ２０に対して相対移動しようとすると、係合片５０が被係合凹部３２の第１直交面３４又は第２直交面３６に係合（当接）されて、アームピース２２の長手方向への移動が制限されるようになっている。
【００２７】
次に、本実施の形態の作用及び効果について説明する。
【００２８】
上記のように構成されたワイパアームのアームピース固定構造Ｓが適用されたワイパアーム１２では、リテーナ２０のカシメ部４０がカシメられて、アームピース２２（の被固定部３０）がリテーナ２０（のカシメ部４０）に固定されている。具体的には、アームピース２２の周方向において、カシメ部４０が被固定部３０の外周部に巻き付くようにカシメられている。そして、この状態では、カシメ部４０が、リテーナ２０の長手方向から見て、リテーナ２０の裏面側（図２の矢印Ｄ方向側）へ一部開放された略矩形筒状に形成されている。これにより、カシメ部４０にスプリングバックが生じる際には、カシメ部４０の開放端がリテーナ２０（アームピース２２）の周方向において互いに離間する方向（図２の矢印Ｅ方向及び矢印Ｆ方向）に変位する。換言すると、カシメ部４０の係合片５０がリテーナ２０の幅方向外側へ変位する。
【００２９】
ここで、アームピース２２の被固定部３０には、凹状の被係合凹部３２が形成されている。また、被係合凹部３２は第１直交面３４及び第２直交面３６を有しており、第１直交面３４及び第２直交面３６は、アームピース２２の長手方向に対して直交する方向に沿って配置された平面を成している。すなわち、第１直交面３４及び第２直交面３６がアームピース２２の周方向に延びるように形成されている。さらに、リテーナ２０のカシメ部４０は係合片５０を含んで構成されている。そして、係合片５０は、被係合凹部３２内に配置されると共に、第１直交面３４及び第２直交面３６と対向される第１対向面５２及び第２対向面５４を有している。
【００３０】
このため、カシメ部４０にスプリングバックが生じる際に係合片５０が変位する方向と、第１直交面３４及び第２直交面３６が延びる方向と、が一致される。すなわち、カシメ部４０にスプリングバックが生じる際には、係合片５０の第１対向面５２が第１直交面３４に沿って変位すると共に、係合片５０の第２対向面５４が第２直交面３６に沿って変位する。これにより、カシメ部４０に生じるスプリングバックによって係合片５０が変位しても、第１対向面５２と第１直交面３４との間の距離及び第２対向面５４と第２直交面３６との間の距離の変化が抑制される。その結果、例えば外力によってアームピース２２の長手方向にアームピース２２がリテーナ２０に対して仮に相対移動しても、リテーナ２０に対するアームピース２２の移動量が大きくなることを抑制できる。これにより、アームピース２２に対する固定（保持）性能を向上できる。
【００３１】
しかも、アームピース２２の裏面２２Ａに被係合凹部３２が形成されている。このため、リテーナ２０の係合片５０及びアームピース２２の被係合凹部３２が視認され難い位置に配置される。これにより、ワイパアーム１２の意匠性を損なうことなく係合片５０及び被係合凹部３２を形成できる。
【００３２】
また、第１直交面３４が第１対向面５２に対してアームピース２２の基端側に配置されている。このため、例えば外力によってアームピース２２の先端側へアームピース２２がリテーナ２０に対して仮に相対移動しようとすると、第１直交面３４が係合片５０の第１対向面５２に係合（当接）される。これにより、アームピース２２のリテーナ２０からの抜けを効果的に防止できる。
【００３３】
さらに、リテーナ２０のカシメ部４０における裏側壁４６には、それぞれ一対のスリット４８が形成されており、一対のスリット４８が係合片５０に隣接して配置されている。このため、カシメ部４０を被固定部３０の外周部に巻き付けるようにカシメる際に、カシメ冶具等によって係合片５０を被係合凹部３２内へ良好に押し込むことができる。これにより、カシメ部４０にスプリングバックが生じることを抑制しつつ、係合片５０の成形性を向上できる。その結果、係合片５０を精度よく形成できる。
【００３４】
なお、本実施の形態では、リテーナ２０における一対の裏側壁４６に係合片５０がそれぞれ形成されている。これに代えて、一対の係合片５０の何れか一方を省略してもよい。
【００３５】
また、本実施の形態では、アームピース２２の被係合凹部３２が凹状に形成されている。これに代えて、被固定部３０の裏面２２Ａに凸状の「被係合部」としての被係合凸部を形成してもよい。すなわち、被係合凸部を例えば直方体状に形成して、該被係合凸部に第１直交面３４及び第２直交面３６を形成してもよい。この場合には、リテーナ２０の裏側壁４６におけるスリット４８及び係合片５０を省略すると共に、裏側壁４６の開放端部に矩形状の「係合部」としての切欠き部を形成して、この切欠き部内に被係合凸部が嵌め込まれるように構成してもよい。これにより、この場合においても、カシメ部４０に生じるスプリングバックによってリテーナ２０の切欠き部が変位しても、アームピース２２の長手方向における被係合凸部と切欠き部との間の距離の変化が抑制される。
【００３６】
さらに、本実施の形態では、被係合凹部３２の第１直交面３４及び第２直交面３６が、アームピース２２の長手方向に対して直交する方向に沿って配置されている。これに代えて、第１直交面３４のみをアームピース２２の長手方向に対して直交する方向に沿って配置させてもよい。この場合には、例えば第２直交面３６を側面視でアームピース２２の裏面２２Ａへ向かうに従い第１直交面３４から離間する方向へ傾斜させてもよい。
【００３７】
また、本実施の形態では、被係合凹部３２がアームピース２２の裏面２２Ａに形成されている。これに代えて、被係合凹部３２をアームピース２２の幅方向の側面に形成してもよい。この場合には、アームピース２２の切欠き凹部３８を省略すると共に、被係合凹部３２と嵌合される係合部がリテーナ２０の側壁４４に形成される。
【００３８】
さらに、本実施の形態では、リテーナ２０の長手方向から見て、係合片５０が、根元から先端へ向かうに従い被係合凹部３２側へ傾斜されて、被係合凹部３２内に嵌め込まれているが、係合片５０の形状はこれに限らない。例えば、係合片５０の根元部分をクランク状に屈曲させて、被係合凹部３２の底面と平行になるように係合片５０を配置させてもよい。
【００３９】
また、本実施の形態では、リテーナ２０の裏側壁４６に一対のスリット４８が形成されているが、リテーナ２０のスリット４８を省略して、係合片５０を被係合凹部３２側へ切り起こすように形成してもよい。
【符号の説明】
【００４０】
１４・・・アームヘッド、２０・・・リテーナ、２２・・・アームピース、３２・・・被係合凹部（被係合部）、３４・・・第１直交面（直交面）、３６・・・第２直交面（直交面）、４０・・・カシメ部（固定部）、４８・・・スリット、５０・・・係合片（係合部）、５２・・・第１対向面（対向面）、５４・・・第２対向面（対向面）、Ｓ・・・ワイパアームのアームピース固定構造
【図１】
2014201161.tif 000003
【図２】
2014201161.tif 000004
【図３】
2014201161.tif 000005
【図４】
2014201161.tif 000006